(57)【要約】  記録担体識別情報は、非対称変調を用いて記憶される。これによって、再生装置の一般的なデータ経路を通じたこの情報へのアクセスを防止する。非対称情報は、固有のデータスライシング及び再生装置で行われる復号のために再生装置によって自動的に除去される。非対称変調のパラメータは、記録担体が本物であり、複製された記録担体でないことを確かめるために用いられる。パラメータは、複製プロセスによって妨害され、したがって、記録担体の信頼性の表示を回避するのが困難な信頼性を提供する。
2007524183.tif 000002
【特許請求の範囲】
【請求項１】
トラックに記録されたチャネルビット群を具える記録担体において、記録担体識別情報を、非対称変調を有する前記チャネルビット群に格納し、前記非対称変調のパラメータが、予め決定された値を有することを特徴とする記録担体。
【請求項２】
前記非対称変調を有するチャネルビット群が、予め決定された第１の位置に対応する第１の遷移と、予め決定された第２の位置に対応する第２の遷移とを有し、少なくとも一つの遷移が、予め決定された位置から予め規定された量で偏位することを特徴とする請求項１記載の記録担体。
【請求項３】
前記非対称変調を有するチャネルビット群のチャネルビットが、予め決定されたピット幅から予め決定された量で偏位することを特徴とする請求項１記載の記録担体。
【請求項４】
前記予め決定された量が、前記記録担体上の遷移位置の平均ジッタ量より大きいことを特徴とする請求項２記載の記録担体。
【請求項５】
前記予め決定された量が、最小チャネルビットの長さ未満であることを特徴とする請求項４記載の記録担体。
【請求項６】
前記量を、スペクトル拡散変調を用いて変調することを特徴とする請求項１，２，３，４又は５記載の記録担体。
【請求項７】
前記量が、前記記録担体の第１区分と前記記録担体の第２区分とで異なることを特徴とする請求項１,２,３,４又は５記載の記録担体。
【請求項８】
前記記録担体を読出し専用記録担体としたことを特徴とする請求項１，２，３，４又は５記載の記録担体。
【請求項９】
前記第１区分の位置を、予め決定された位置に格納することを特徴とする請求項７記載の記録担体。
【請求項１０】
前記記録担体が開始情報エリアを具え、前記第１区分の位置が前記開始情報エリアに格納されることを特徴とする請求項９記載の記録担体。
【請求項１１】
トラックに記録されたチャネルビット群を具える記録担体に記録識別情報を記録する方法であって、前記チャネルビット群が記録担体識別情報を具え、
非対称変調を有するチャネルビット群の記録担体識別情報を変調するステップと、
前記非対称変調を有するビットチャネル群を前記記録担体に格納し、非対称変調のパラメータが、予め決定された値を有するステップとを具えることを特徴とする方法。
【請求項１２】
前記非対称変調のパラメータの予め決定された値を前記記録担体のデータ領域に格納するステップを具えることを特徴とする請求項１１記載の方法。
【請求項１３】
前記非対称変調のパラメータの予め決定された値を暗号化することを特徴とする請求項１２記載の方法。
【請求項１４】
前記非対称変調を有するチャネルビット群の記録担体識別情報を変調するステップが、拡張スペクトル変調を用いてパラメータの値を変調するステップを具えることを特徴とする請求項１１，１２又は１３記載の方法。
【請求項１５】
前記非対称変調を有するチャネルビット群の記録担体識別情報を変調するステップが、第１の値のパラメータを有する前記記録担体の第１区分に格納される非対称変調を有するチャネルビット群の記録担体識別情報を変調するステップと、第２の値のパラメータを有する前記記録担体の第２区分に格納される非対称変調を有するチャネルビット群の記録担体識別情報を変調するステップとを具えることを特徴とする請求項１１，１２，１３又は１４記載の方法。
【請求項１６】
前記記録担体が開始情報エリアを具え、データ領域の位置を前記開始情報エリアに格納することを特徴とする請求項１５記載の方法。
【請求項１７】
トラックに記録されたチャネルビット群を具える記録担体から記録識別情報を検索する方法であって、前記チャネルビット群が前記記録担体識別情報を具え、
非対称変調を有するチャネルビット群を前記記録担体から検索するステップと、
前記記録担体識別情報を、検索した前記非対称変調を有するチャネルビット群から復調するステップと、
前記非対称変調のパラメータの値を検索するステップと、
検索したパラメータの値と予め決定された値とを比較するステップと、
検索したパラメータが、前記予め決定された値の予め規定された範囲内にある場合、前記記録担体識別情報を提供するステップとを具えることを特徴とする方法。
【請求項１８】
前記パラメータの値と予め決定された値とを比較するステップが、前記予め決定した値を前記記録担体のデータ領域から検索するステップを具えることを特徴とする請求項１７記載の方法。
【請求項１９】
検索したパラメータの値と予め決定された値とを比較するステップが、前記予め決定した値を、ネットワークを通じた位置から検索するステップを具えることを特徴とする請求項１７記載の方法。
【請求項２０】
前記非対称変調のパラメータの値を検索するステップが、スペクトル拡張復調を用いて前記パラメータの値を復調するステップより先に行われることを特徴とする請求項１７，１８又は１９記載の方法。
【請求項２１】
前記非対称変調を有するチャネルビット群を前記記録担体から検索するステップが、前記記録担体の第１区分に格納された非対称変調を有する第１のチャネルビット群から第１の値のパラメータを検索するステップと、前記記録担体の第２区分に格納された非対称変調を有する第２のチャネルビット群から第２の値のパラメータを検索するステップとを具えることを特徴とする請求項２０記載の方法。
【請求項２２】
前記記録担体が開始情報エリアを具え、予め決定された位置のポインタを前記開始情報エリアから検索することを特徴とする請求項２１記載の方法。
【請求項２３】
記録担体に格納された情報の著作権を制御する方法であって、前記記録担体が、トラックに記録されたチャネルビット群を具える記録担体を具え、前記チャネルビット群が記録担体識別情報を具え、
非対称変調を有するチャネルビット群を前記記録担体から検索するステップと、
前記非対称変調のパラメータの値を、検索したチャネルビット群から検索するステップと、
前記パラメータの値と予め決定された値とを比較するステップと、
前記パラメータの値が前記予め決定されたパラメータの予め決定された範囲内にある場合、前記記録担体の著作権ステータスを確立するために、前記検索したチャネルビット群を完全に処理するステップと、
前記パラメータの値が前記予め決定されたパラメータの予め決定された範囲外にある場合、前記記録担体の著作権ステータスに対して著作権侵害であることを表すステップとを具えることを特徴とする方法。
【請求項２４】
前記パラメータの値と予め決定された値とを比較するステップが、前記非対称変調のパラメータの予め決定された値を前記記録担体のデータ領域から検索するステップを具えることを特徴とする請求項２３記載の方法。
【請求項２５】
前記パラメータの値と予め決定された値とを比較するステップが、前記予め決定された値を、ネットワークを通じた位置から検索するステップを具えることを特徴とする請求項２４記載の方法。
【請求項２６】
前記記録担体が開始情報エリアを具え、前記データフィールドの位置を前記開始情報エリアから検索することを特徴とする請求項２５記載の方法。
【請求項２７】
アドレス指定手段及びデータ検索手段を具える、光ディスク用の再生装置において、
前記再生装置が、記録担体から記録担体識別情報を検索する直流成分検索手段を更に具え、前記直流成分検索手段が、前記記録担体から検索したチャネルビット群の非対称を前記アドレス指定手段によって表されたアドレスから復調する復調器を具え、前記チャネルビット群の非対称のパラメータの値を検索するパラメータ検索手段を直流成分検索手段に結合したことを特徴とする再生装置。
【請求項２８】
前記再生装置が著作権制御手段を更に具え、前記著作権制御手段の入力部を、前記パラメータの値を受信するために前記パラメータ検索手段の出力部に結合し、前記著作権制御手段を、前記パラメータ検索手段から受信したパラメータの値に基づいて著作権ステータスを決定するように配置したことを特徴とする請求項２７記載の再生装置。
【請求項２９】
アドレス指定手段及びデータ検索手段を具える、光ディスク用の記録装置において、
前記記録装置が、チャネルビット群の非対称を変調することによって記録担体上に記録担体識別情報を格納する非対称変調装置を更に具え、前記非対称が、予め決定された値を有し、前記非対称変調装置を、前記非対称変調装置によって提供されたチャネルビット群を前記アドレス指定手段によって表された前記記録担体上の位置に記録するデータ記録手段に結合したことを特徴とする記録装置。
【発明の詳細な説明】
【技術分野】
【０００１】
本発明は、トラックに記録されたチャネルビット群を具え、チャネルビット群が記録担体識別情報を具える記録担体と、トラックに記録されたチャネルビット群を具える記録担体上に記録識別情報を記録し、チャネルビット群が記録担体識別情報を具える方法と、記録識別情報を、トラックに記録されたチャネルビット群を具える記録担体から検索し、チャネルビット群が記録担体識別情報を具える方法と、記録担体に格納された情報の著作権を制御し、記録担体が、記録担体のトラックに記録されたチャネルビット群を具える記録担体を具え、チャネルビット群が記録担体識別情報を具える方法と、アドレス指定手段及びデータ検索手段を具える、光ディスク用の再生装置と、アドレス指定手段及びデータ検索手段を具える、記録担体用の記録装置とに関する。
【背景技術】
【０００２】
そのような記録担体は、ＣＤ及びＤＶＤ記録担体の形態で知られており、この場合、製造者は、記録担体にエントリを与え、これによって、再生装置は記録担体の製造元を決定することができる。
【０００３】
さらに、これは、読出し可能及び再書込み可能な記録担体からも既知であり、この場合、著作権の通知が記録担体上に記録されている。
【０００４】
さらに、そのような記録担体は、ＰＣゲームから既知であり、この場合、製造者は、記録担体のマスタにディフェクト(defect)を導入し、これによって、再生装置は、全てのディフェクトが予測される位置に存在するか否かを確認することによって記録担体を識別することができる。
【０００５】
これら記録担体の欠点は、記録担体へのアクセスを有する者によって記録担体識別情報を容易に複製できることである。
【０００６】
本発明の目的は、記録担体がオリジナルの記録担体であるか記録担体の許可されていないコピーであるかを決定することができる識別情報を記録担体に提供することである。
【発明の開示】
【０００７】
この目的を達成するために、記録担体は、記録担体識別情報を、非対称変調を有する前記チャネルビット群に格納し、前記非対称変調のパラメータが、予め決定された値を有することを特徴とする。
【０００８】
非対称変調のパラメータの値は、ユーザが通常の再生装置を通じて利用できない。再生装置は、非対称を除去するデータ検索経路にデータスライサ及び位相同期ループを具え、したがって、非対称情報へのアクセスを防止し、その結果、非対称変調のパラメータへのアクセスを防止する。パラメータの値が利用できないので、記録担体識別を、正確なパラメータを有する正確な非対称変調を有するコピーされた記録担体上に複製することができない。したがって、単に非対称変調のパラメータが正確であるか否かを決定することによって、記録担体がオリジナルの記録担体であるかコピーであるかを決定することができる。ビット間のコピーを記録担体で行う場合、非対称変調のパラメータは、コピープロセスによって導入される固有の変動によって元の値から偏位する。
【０００９】
コピーの困難性を増大するために、一つ以上のパラメータをオリジナルの記録担体製造中に制御することができる。再生装置は、予め決定された値を有する複数のパラメータの場合、複数のパラメータが予め決定された範囲内にあるか否かチェックすることができる。これによって、予め決定された値の絶対値及び二つ以上のパラメータの比を用いることができる。
【００１０】
記録担体の一例は、記録担体が非対称変調のパラメータの予め決定された値を格納するデータ領域を具えることを特徴とする。
【００１１】
非対称変調のパラメータの予め決定された値が必要な範囲内にあるか否かを決定するために、記録担体から決定されるような値の僅かな変動を許容する予め決定された値又は有効な予め決定された値の範囲を格納するのに記録担体のデータ領域を用いることができる。このようにして、非対称変調に対する変動パラメータを有する記録担体を製造することができる。これは、種々のバッチ、種々のタイプのコンテンツ、種々のアーティスト又は種々のマーケットに対して種々の記録担体を製造するのに有用となることができ、したがって、一旦特別な値の特別なパラメータを有する記録担体をできるようになると、全ての記録担体のコピーを防止する。
【００１２】
パラメータの値が変更可能である場合、記録担体をコピーする度にパラメータの値を抽出する必要がありこれは、非常に時間を要し、コピーが魅力的でなくなる。
【００１３】
記録担体の他の例は、非対称変調のパラメータの予め決定された値を暗号化することを特徴とする。記録担体に格納されたパラメータの値を暗号化することによって、予め決定された値を記録担体から簡単に読み出すことができず、記録担体を複製すなわちコピーする際にその値を読み出すことができない。暗号化は、パラメータの格納された値に対してプロテクトを与える。
【００１４】
記録担体の他の例は、パラメータをスペクトル拡散変調することを特徴とする。
スペクトル拡散技術を用いてパラメータを変調することによって、単一でないパラメータの一定値を抽出することができる。パラメータの値を抽出するために、スペクトル拡散変調を解読する鍵が必要となる。鍵が利用できない場合、パラメータの値は、スペクトル拡散変調によって導入される雑音に隠される。
【００１５】
記録担体の他の例は、パラメータが記録担体の第１区分と記録担体の第２区分とで異なることを特徴とする。
パラメータの値を記録担体の区分間で変更することによって、オリジナルの記録担体の区分の値を決定することができなくなり、その値を複製記録担体全体に適用することができない。これによって複製が著しく困難になる。その理由は、パラメータの値の変動の分布パターンもコピー記録担体に複製する必要があるからである。
【００１６】
変動パターンを固定又は可変にすることができ、この場合、パターンについての情報を暗号化形態で記録担体に格納することができる。
記録担体の他の例は、記記録担体を読出し専用記録担体としたことを特徴とする。本発明は、記録可能の担体と読出し専用担体の両方で機能する。しかしながら、読出し専用記録担体は、最も普及しているコピーを試みるターゲットである。その理由は、読出し専用記録担体がコピーによる許可されていない複製に対するプロテクションを必要とする支配的に著作権保護されたマテリアルを具えるからである。
本発明の読出し専用記録担体への適用は、特に読出し専用キャリアに有用である。
【００１７】
記録担体の他の例は、記録担体識別情報を予め決定された位置に格納することを特徴とする。
予め決定された位置の記録担体識別情報を格納することによって、再生装置は、非対称変調を有するチャネルビット群に対する記録担体の一部又は全体を検索する必要なくその位置のチャネルビットの非対称を迅速に検索することができるとともに記憶された記録担体識別情報を決定することができる。
【００１８】
非対称変調をピット幅変調とすることができる。
幅の広いピットは、実質的には局所的に直流レベルを妨害する小さい反射を示し、したがって、チャネルビット群の非対称を導入する。チャネルビットの直流レベルのこれらの妨害の一つ以上を、変調を通じて記録担体識別情報を表すのに用いることができる。この場合、パラメータを、例えばピット幅とし、ピット幅の値を、記録担体に格納するよう選択することができる。アナログコピーはピット幅を妨害し、したがって、コピーされた記録担体から決定した値は、コピーされた記録担体に格納した値と異なる。その理由は、これがオリジナルの記録担体からコピーされたからである。
【００１９】
反射量についての情報は、データが再生装置によって処理される前にデータスライサによって除去される。直流成分についての情報へのアクセス、したがって、反射量へのアクセス、したがって、ピット幅へのアクセスは、再生装置の特別な配置なしでは不可能である。
【００２０】
非対称変調を、直流成分の積分値の変調(running digital sum modulation)とすることができる。
チャネルコードは、通常、できるだけ零に近いコードワードの直流成分の積分値を提供しようと努める。直流成分の積分値の制御を、例えば、置換コードワードを用いることによって達成され、この場合、コードワードのストリームの所定の瞬時において、コードワードを、直流成分の積分値に有利である場合には小さい直流成分の積分値となる他の独自のコードワードに置換することができる。置換コードワードによって直流成分の積分値が大きくなる場合、コードワードは置換コードワードに置換されない。記録担体識別情報を記録担体に記憶するために、直流成分の積分値が大きくなる場合にはコードワードを置換コードワードに置換することによって、この形態を変更することができる。したがって、予測される形態からのこのような偏位は、記録単体情報を変調するのに用いられ、有効な非対称変調となる。その理由は、コードワードが局所的に予測より高い直流成分を示すからである。この場合、偏位の振幅とも称される偏位の量を、記録担体から決定した測定値と記録担体に格納した値とを比較することによってオリジナルの記録担体を識別するのに用いられるパラメータとする。
【００２１】
非対称変調を、チャネルビット遷移位置変調とすることができる。
チャネルビットの遷移を再配置することによって、直流成分を変調するとともに非対称を達成することができる。その後にＰＬＬが抽出クロックによって遷移を再配置するので、識別のために検出可能なチャネルビットのＨＦストリームのスペクトルに直流に近い低周波成分を導入できる間、データストリームに悪影響が及ぼされない。このようにしてスペクトルに導入された低周波数範囲のピークの一つ以上の周波数又はピークの一つ以上の振幅を、パラメータとして用いることができる。対応する値は、ピークの周波数、ピークの振幅又はその両方である。
【００２２】
記録担体識別情報を、予め決定された位置に格納することができる。
予め決定された位置の記録担体識別情報を格納することによって、再生装置は、非対称変調を有するチャネルビット群に対する記録担体の一部又は全体を検索する必要なくその位置のチャネルビットの非対称を迅速に検索することができるとともに記憶された記録担体識別情報を決定することができる。
【００２３】
予め決定された位置に対するポインタを記録担体に格納することができる。
各記録担体の同一位置に情報を格納するのを防止するために、ポインタを、暗号化されたすなわちプロテクトされた形態又はプロテクトされていない形態で各記録担体に格納する。
【００２４】
記録担体がポインタを具える場合、再生装置は、各記録担体の記録担体識別情報を迅速に見つけることができる。予め決定された位置のロケーションを、ＰＩＣバンドのような開始情報エリアに格納することができる。
ＰＩＣバンドは、Ｂｌｕ−Ｄｉｓｃ規格によって規定され、暗号化された形態又はプロテクトされていない形態でポインタを格納するのに適している。
【００２５】
トラックに記録されたチャネルビット群を具える記録担体に記録識別情報を記録する方法は、前記チャネルビット群が記録担体識別情報を具え、
非対称変調を有するチャネルビット群の記録担体識別情報を変調するステップと、
前記非対称変調を有するビットチャネル群を前記記録担体に格納し、非対称変調のパラメータが、予め決定された値を有するステップとを具えることを特徴とする。
【００２６】
この方法を実行することによって、再生装置の通常のデータ経路を通じた直接的な抽出を不可能にするように識別情報を記録担体に配置することによって記録担体の正確な複製を防止するとともに、再生装置によって記録担体識別情報を記録担体から検索することができる記録担体を形成する。非対称変調のパラメータが予め規定された値を有するように記録担体識別を格納すると、記録担体識別情報がコピーの記録担体ではなくオリジナルの記録担体から読み出されたことを表す値をパラメータが有するか否か又はパラメータが当該値の周辺の許容される範囲内にあるか否かを、後に検出することができる。
【００２７】
非対称変調を有するチャネルビット群の記録担体識別情報を変調するステップは、チャネルビットの直流成分の積分値を変調するステップを具えることができる。
直流成分の積分値に変調を導入することによって、記録担体識別情報は、内部でのみ再生装置にアクセス可能であり、再生装置の通常のデータ経路を通じてアクセスすることができず、通常のユーザによる識別情報の抽出を防止する。
【００２８】
直流成分の積分値の制御を、例えば、置換コードワードを用いることによって達成することができ、この場合、この場合、コードワードのストリームの所定の瞬時において、コードワードを、直流成分の積分値に有利である場合には小さい直流成分の積分値となる他の独自のコードワードに置換することができる。置換コードワードによって直流成分の積分値が大きくなる場合、コードワードは置換コードワードに置換されない。記録担体識別情報を記録担体に記憶するために、直流成分の積分値が大きくなる場合にはコードワードを置換コードワードに置換することによって、この形態を変更することができる。したがって、予測される形態からのこのような偏位は、記録単体情報を変調するのに用いられ、有効な非対称変調となる。その理由は、コードワードが局所的に予測より高い直流成分を示すからである。
【００２９】
また、スペクトル拡散技術により透かしを適用する。
検出に必要な鍵は、好適には暗号化形態でディスクに符号化される。
アナログ信号、例えば、正弦波又は変調された正弦波（ＡＭ，ＦＭ，ＰＭ等）の形態で透かしを導入してもよい。
【００３０】
チャネルビット遷移変更を用いる場合、更に迅速にしきい値を決定するＰＬＬ及びデータスライサを用いることによって達成される検出瞬時に対する遷移位置を観察することによって検出を行う。本例において、透かし帯域幅を更に大きくすることができる。
【００３１】
方法の他の例は、前記非対称変調のパラメータの予め決定された値を前記記録担体のデータ領域に格納するステップを具えることを特徴とする。
パラメータの予め決定された値を記録担体に格納することによって、再生装置は、必要とされるときにこの情報を検索することができ、パラメータの測定値が予め決定された値についての検索された情報に等しいか否か又はその情報の予め決定された範囲内にあるか否かを決定するのにこの情報を用いることができる。したがって、予め決定された値を、記録担体間で変更することができ、もはや一定とする必要がない。再生装置は、記録担体から検索されるような予め決定された値に対するパラメータを用いることによって認証の要求を調整することができる。
【００３２】
非対称変調のパラメータの予め決定された値を予め決定された位置に格納することによって、再生装置は、非対称変調のパラメータの予め決定された値を後に迅速に検索することができる。その理由は、値を検索できる位置が知られているからである。これによって、格納された記録担体識別情報が真正であるか否か迅速に決定することができる。
【００３３】
方法の一例は、前記非対称変調のパラメータの予め決定された値を暗号化することを特徴とする。
記録担体に格納されたパラメータの値を符号化することによって、予め決定された値を記録担体から簡単に読み出すことができず、記録担体を複製すなわちコピーするときにその値を用いることができない。暗号化は、パラメータの格納された値に対するプロテクションを提供する。
【００３４】
方法の他の例は、前記非対称変調を有するチャネルビット群の記録担体識別情報を変調するステップが、拡張スペクトル変調を用いてパラメータの値を変調するステップを
具えることと特徴とする。
【００３５】
スペクトル拡散技術を用いてパラメータを変調することによって、単一でないパラメータの一定値を抽出することができる。パラメータの値を抽出するために、スペクトル拡散変調を解読する鍵が必要となる。鍵が利用できない場合、パラメータの値は、スペクトル拡散変調によって導入される雑音に隠される。
【００３６】
発明の他の例は、前記非対称変調を有するチャネルビット群の記録担体識別情報を変調するステップが、第１の値のパラメータを有する前記記録担体の第１区分に格納される非対称変調を有するチャネルビット群の記録担体識別情報を変調するステップと、第２の値のパラメータを有する前記記録担体の第２区分に格納される非対称変調を有するチャネルビット群の記録担体識別情報を変調するステップとを具えることを特徴とする。
【００３７】
パラメータの値を記録担体の区分間で変更することによって、オリジナルの記録担体の区分の値を決定することができなくなり、その値を複製記録担体全体に適用することができない。これによって複製が著しく困難になる。変動パターンを固定又は可変にすることができ、この場合、パターンについての情報を暗号化形態で記録担体に格納することができる。
【００３８】
発明の他の例は、前記非対称変調を有するチャネルビット群の記録担体識別情報を変調するステップが、第１の値のパラメータを有する前記記録担体の第１区分に格納される非対称変調を有するチャネルビット群の記録担体識別情報を変調するステップと、第２の値のパラメータを有する前記記録担体の第２区分に格納される非対称変調を有するチャネルビット群の記録担体識別情報を変調するステップとを具えることを特徴とする。
【００３９】
パラメータの値を記録担体の区分間で変更することによって、オリジナルの記録担体の単一の区分の値を決定することができなくなり、その値を複製記録担体全体に適用することができない。これによって複製が著しく困難になる。その理由は、パラメータの値の変動の分布パターンもコピー記録担体に複製する必要があるからである。
変動パターンを固定又は可変にすることができ、この場合、パターンについての情報を暗号化形態で記録担体に格納することができる。
【００４０】
方法の他の例は、前記記録担体が開始情報エリアを具え、データ領域の位置を前記開始情報エリアに格納することを特徴とする。
開始情報エリアは、Ｂｌｕ−Ｄｉｓｃ規格によって規定され、データ領域の位置を格納するのに適しており、この場合、パラメータの予め決定された値が、暗号化形態又はプロテクトされていない形態で格納される。
【００４１】
トラックに記録されたチャネルビット群を具える記録担体から記録識別情報を検索する方法は、前記チャネルビット群が前記記録担体識別情報を具え、
非対称変調を有するチャネルビット群を前記記録担体から検索するステップと、
前記記録担体識別情報を、検索した前記非対称変調を有するチャネルビット群から復調するステップと、
前記非対称変調のパラメータの値を検索するステップと、
検索したパラメータの値と予め決定された値とを比較するステップと、
検索したパラメータが、前記予め決定された値の予め規定された範囲内にある場合、前記記録担体識別情報を提供するステップとを具えることを特徴とする。
【００４２】
この方法を実行することによって、再生装置の通常のデータ経路を通じた直接的な抽出を不可能にするように識別情報を記録担体に配置することによって記録担体の正確な複製を防止するとともに、再生装置によって記録担体識別情報を記録担体から検索することができる記録担体を形成する。非対称変調のパラメータが予め規定された値を有するように記録担体識別を格納すると、記録担体識別情報がコピーの記録担体ではなくオリジナルの記録担体から読み出されたことを表す値をパラメータが有するか否か又はパラメータが当該値の周辺の許容される範囲内にあるか否かを、後に検出することができる。予め決定された範囲内の値は、記録担体識別情報が有効であることを表し、それに対して、予め決定された範囲外の値は、無効な記録識別情報を有する違法コピーであることを表す。
【００４３】
非対称変調によって、ユーザが通常のデータ経路を通じた記録担体識別情報にアクセスするのを防止する。その理由は、これが再生装置に設けられないからである。
再生装置で用いられるデータスライサのために、非対称変調は、データがコードワードから抽出される前に除去される。
【００４４】
コードワードへの符号化中に非対称変更が行われる場合、コードワードからのデータの検索中に非対称変調の除去が行われる。
データスライサの前又はコードワードの復号の前に配置される復調手段を設けることによって、記録担体識別情報の検索及び認証を更に簡単に行うことができ、その結果、非対称復調手段には、記録担体から検索した信号が供給され、この場合、信号は非対称変調を有したままである。
【００４５】
非対称変調の検索を、例えば、非対称変調が符号化によって行われたときにはデータスライサの後に行うことができる。データスライサの後に、直流成分の制御に用いられるような置換コードワードがまだ存在し、これらコードワードの復号中、非対称変調を用いて格納された情報が利用できるようになる。置換コードワードであるコードワード又は置換コードワードに置換された可能性があるコードワードに出くわすと常に、置換したか否かの実際の決定を、直流制御に対する予測される最適な決定と同等にみなすことができる。最適な決定からの偏位は、非対称変調の基礎を形成し、これによって、復調を行うことができる。
【００４６】
方法の一例は、前記パラメータの値と予め決定された値とを比較するステップが、前記予め決定した値を前記記録担体のデータ領域から検索するステップを具えることを特徴とする。
【００４７】
パラメータの予め決定された値を記録担体から検索することによって、再生装置は、パラメータの測定値が検索された予め決定された値に等しいか否か又はその値の予め決定された範囲内にあるか否かを決定するのに予め決定された値を用いることができる。したがって、予め決定された値を、記録担体間で変更することができ、もはや一定とする必要がない。再生装置は、記録担体から検索されるような予め決定された値に対するパラメータを用いることによって認証の要求を調整することができる。
【００４８】
非対称変調のパラメータの予め決定された値を予め決定された位置から検索することによって、再生装置は、非対称変調のパラメータの予め決定された値を後に迅速に検索することができる。その理由は、値を検索できる位置が知られているからである。これによって、格納された記録担体識別情報が真正であるか否か迅速に決定することができる。
【００４９】
方法の他の例は、検索したパラメータの値と予め決定された値とを比較するステップが、前記予め決定した値を、ネットワークを通じた位置から検索するステップを具えることを特徴とする。
【００５０】
予め決定された値を、記録担体から検索する代わりにネットワーク上で検索することもできる。これによって、著作権で保護されたマテリアルの所有者は、予め決定された値へのアクセスを誰が有するかを制御することができる。記録担体の所有者は、もはや予め決定された値に対する直接的なアクセスを有さず、記録担体の予め決定された値を検索するためにデータベースにアクセスする必要がある。これによって、著作権によって保護されたマテリアルの所有者は、誰が情報にアクセスしたかを記録することができる。特に、暗号化との組合せにおいて、これは、予め決定された値に対するアクセスの厳密な制御を許容する。予め決定された値の暗号を解読するために、暗号化した予め決定された値への多数回のアクセスが要求され、それは、暗号化した予め決定された値が記録担体に記録されているときには検出不可能となるが、ネットワーク上で実行されたときには容易に検出できる。その理由は、各アクセスが再生装置の物理的な境界を超え、ネットワークトラフィックの形態でネットワーク上で観察できるからである。
【００５１】
他の例は、前記非対称変調のパラメータの値を検索するステップが、スペクトル拡張復調を用いて前記パラメータの値を復調するステップより先に行われることを特徴とする。
スペクトル拡散技術を用いてパラメータを変調することによって、単一でないパラメータの一定値を抽出することができる。パラメータの値を抽出するために、スペクトル拡散変調を解読する鍵が必要となる。鍵が利用できない場合、パラメータの値は、スペクトル拡散変調によって導入される雑音に隠される。適切な鍵を用いることによって、パラメータの値を、許可されたユーザによって記録担体から容易に抽出することができる。したがって、鍵は、記録担体の許可されていない複製のハードルを構成し、その間、再生装置が許可された記録担体を許可されていない複製記録担体と容易に区別できるようにする。
【００５２】
方法の他の例は、前記非対称変調を有するチャネルビット群を前記記録担体から検索するステップが、前記記録担体の第１区分に格納された非対称変調を有する第１のチャネルビット群から第１の値のパラメータを検索するステップと、前記記録担体の第２区分に格納された非対称変調を有する第２のチャネルビット群から第２の値のパラメータを検索するステップとを具えることを特徴とする。
【００５３】
記録担体の区分間でパラメータの値を変更することによって、オリジナルの記録担体の区分に対する値を決定することができず、その値を複製記録担体全体に適用することができない。これによって複製が著しく困難になる。その理由は、パラメータの値の変動の分布パターンをコピー記録担体にも複製する必要があるからである。オリジナルの記録担体において、再生装置は、パラメータの値を検索する位置を知っているので記録担体の認証を迅速に行うことができる。
変動のパターンを固定又は可変とすることができ、この場合、パターンについての情報を暗号化形態で記録担体から検索することができる。
【００５４】
方法の他の例は、前記記録担体が開始情報エリアを具え、予め決定された位置のポインタを前記開始情報エリアから検索することを特徴とする。
開始情報エリアは、Ｂｌｕ−Ｄｉｓｃ規格によって規定され、データ領域の位置を格納するのに適しており、この場合、パラメータの予め決定された値が、暗号化形態又はプロテクトされていない形態で格納される。
【００５５】
記録担体に格納された情報の著作権を制御する方法は、前記記録担体が、トラックに記録されたチャネルビット群を具える記録担体を具え、前記チャネルビット群が記録担体識別情報を具え、
非対称変調を有するチャネルビット群を前記記録担体から検索するステップと、
前記非対称変調のパラメータの値を、検索したチャネルビット群から検索するステップと、
前記パラメータの値と予め決定された値とを比較するステップと、
前記パラメータの値が前記予め決定されたパラメータの予め決定された範囲内にある場合、前記記録担体の著作権ステータスを確立するために、前記検索したチャネルビット群を完全に処理するステップと、
前記パラメータの値が前記予め決定されたパラメータの予め決定された範囲外にある場合、前記記録担体の著作権ステータスに対して著作権侵害であることを表すステップとを具えることを特徴とする。
【００５６】
非対称変調によって、ユーザが通常のデータ経路を通じた記録担体識別情報にアクセスするのを防止する。その理由は、非対称変調データへのアクセスが再生装置で行われないからである。パラメータへのアクセス又は非対称変調のそのようなパラメータの値の検索も、再生装置で行われない。
【００５７】
再生装置で用いられるデータスライサ及び位相同期ループのために、非対称変調は、データがコードワードから抽出される前に除去される。
コードワードへの符号化中に非対称変調が行われる場合、非対称変調の除去は、データをコードワードから検索する間に行われる。コードワードを、ユーザにより通常のデータ経路を通じてアクセスすることができない。
【００５８】
データスライサ及び／又は位相同期ループの前又はコードワードの復号の前に配置される復調手段及びパラメータ検索手段を設けることによって、記録担体識別情報の検索及び認証を更に簡単に行うことができ、この場合、パラメータは、記録担体から検索した信号に存在したままである。
パラメータの値を検索した後、再生装置は、記録担体上のマテリアルの著作権ステータスを決定することができる。
【００５９】
パラメータの値が予め決定された値の範囲内にある場合、これは、記録担体がオリジナルの記録担体であり、記録担体のコンテンツが著作権法の要求に従うことを表す。著作権法に応じて、再生装置は、複製の許可又は防止を決定することができる。
【００６０】
例えば、記録担体のバックアップコピーが許容される場合、コピーを記録担体に対して行うことができるが、パラメータの値を記録担体のコピーに複製することができない。さらに、複製が中止される。その理由は、再生装置が更なる複製のために記録担体のコピーのコンテンツを開放するよう要求される場合、再生装置は、記録担体が既にコピーであり、更なる複製が著作権法によって許可されないことを知らせる。
【００６１】
記録担体のコンテンツ又はその一部を複製できないことを著作権が表す場合、再生装置は、記録装置からのマテリアルに対する要求を拒否し又は複製が違法であることを記録装置に示すことができる。違法の複製を防止する機構を、再生装置又は記録装置に配置することができる。
【００６２】
記録担体識別情報を用いて、違法記録担体の再生を防止することができる。これらの違法記録担体は、パラメータの適切な値を有しない。その理由は、既に説明したように複製中に値が変更するからである。適切な記録担体識別情報が消失し又は不正確であると常に、再生装置は、記録担体上のコンテンツへのアクセスを拒否する。
【００６３】
方法の一例は、前記パラメータの値と予め決定された値とを比較するステップが、前記非対称変調のパラメータの予め決定された値を前記記録担体のデータ領域から検索するステップを具える。
【００６４】
記録担体からパラメータの予め決定された値を検索することによって、再生装置は、予め決定された値を用いてパラメータの測定値が検索した予め決定された値に等しいか否か又はその値の予め決定された範囲内にあるか否かを決定することができる。したがって、予め決定された値を、記録担体間で変更することができ、読出し専用記録担体の場合にはマスタ間で変更することができ、もはや一定である必要はない。再生装置は、記録担体の認証の要求を、記録担体から検索されるような予め決定された値に調整することができる。
【００６５】
非対称変調のパラメータの予め決定された値を予め決定された位置から検索することによって、再生装置は、非対称変調のパラメータの予め決定された値を迅速に検索することができる。その理由は、値を検索できる位置が既知だからである。これによって、格納された記録担体識別情報が真正であるか否かの決定を迅速に行うことができる。
【００６６】
方法の他の例は、前記パラメータの値と予め決定された値とを比較するステップが、前記予め決定された値を、ネットワークを通じた位置から検索するステップを具えることを特徴とする。
【００６７】
予め決定された値を、記録担体それ自体から検索する代わりにネットワーク上で検索することもできる。これによって、著作権で保護されたマテリアルの所有者は、予め決定された値へのアクセスを誰が有するかを制御することができる。記録担体の所有者は、もはや予め決定された値に対する直接的なアクセスを有さず、記録担体の予め決定された値を検索するためにデータベースにアクセスする必要がある。これによって、著作権によって保護されたマテリアルの所有者は、誰が情報にアクセスしたかを記録することができる。特に、暗号化との組合せにおいて、これは、予め決定された値に対するアクセスの厳密な制御を許容する。予め決定された値の暗号を解読するために、暗号化した予め決定された値への多数回のアクセスが要求され、それは、暗号化した予め決定された値が記録担体に記録されているときには検出不可能となるが、ネットワーク上で実行されたときには容易に検出できる。その理由は、各アクセスが再生装置の物理的な境界を超え、ネットワークトラフィックの形態でネットワーク上で観察できるからである。
【００６８】
方法の一例は、前記記録担体が開始情報エリアを具え、前記データフィールドの位置を前記開始情報エリアから検索することを特徴とする。
開始情報エリアは、Ｂｌｕ−Ｄｉｓｃ規格によって規定され、データ領域の位置を格納するのに適しており、この場合、パラメータの予め決定された値が、暗号化形態又はプロテクトされていない形態で格納される。
【００６９】
本発明による再生装置は、
アドレス指定手段及びデータ検索手段を具える、本発明による光ディスク用の再生装置において、
前記再生装置が、記録担体から記録担体識別情報を検索する直流成分検索手段を更に具え、前記直流成分検索手段が、前記記録担体から検索したチャネルビット群の非対称を前記アドレス指定手段によって表されたアドレスから復調する復調器を具え、前記チャネルビット群の非対称のパラメータの値を検索するパラメータ検索手段を直流成分検索手段に結合したことを特徴とする。
【００７０】
本発明による再生装置の一例は、前記再生装置が著作権制御手段を更に具え、前記著作権制御手段の入力部を、前記パラメータの値を受信するために前記パラメータ検索手段の出力部に結合し、前記著作権制御手段を、前記パラメータ検索手段から受信したパラメータの値に基づいて著作権ステータスを決定するように配置したことを特徴とする。
【００７１】
本発明による記録装置は、
アドレス指定手段及びデータ検索手段を具える、光ディスク用の記録装置において、
前記記録装置が、チャネルビット群の非対称を変調することによって記録担体上に記録担体識別情報を格納する非対称変調装置を更に具え、前記非対称が、予め決定された値を有し、前記非対称変調装置を、前記非対称変調装置によって提供されたチャネルビット群を前記アドレス指定手段によって表された前記記録担体上の位置に記録するデータ記録手段に結合したことを特徴とする
【発明を実施するための最良の形態】
【００７２】
本発明を、図面に基づいて説明する。
局所的な非対称妨害(local asymmetry disturbance)を説明に用いるが、スペクトル拡散技術によって達成されるような妨害が２グループ以上のチャネルビットに亘って拡散する更に統計的なアプローチを、同様に適用することができる。
【００７３】
図１は、ピット幅変調によるチャネルビットの非対称性を示す。通常の非変調チャネルビット群１を示す。ハイレベルは、記録担体による光の反射、すなわち、ランド(land)を表し、それに対して、ローレベルは、小さい反射、すなわち、マークを表す。
【００７４】
さらに、直流成分カーブ２，４を示す。信号の直流成分は、種々のビットの寄与を統合することによって決定される。
【００７５】
通常の非変調チャネルビット群１は、図示のために、ランド及びマークの一連の短い交代を具える。チャネルビット群の直流成分に対する平均的な寄与は零であり、それは、直流成分カーブ２の対応する区分の一定値によって表される。長いランド１によって反射の持続時間が長くなると、直流成分カーブ２は、正の寄与を行うことによって第１レベル２ａまで増大する。次いで、小さい反射を有する同様に長いマーク１ｂは、負の寄与を行う、したがって、直流成分を減少することによって、直流成分カーブ２が零に戻るようバランスをとる。
【００７６】
ピットの幅を増大すると、マークの反射は、既に説明した通常の状態に比べて更に減少する。
【００７７】
変調チャネルビット群３は、更に長いマーク３ｂの更に小さい反射によって表されるそのような更に広いピットを具える。更に長いマーク３ｂは、更に長いランド３ａより大きな負の寄与を与える。その結果、直流成分カーブが、通常の状態の第１レベル２ａに等しい第１レベル４ａに到達すると、更に長いマーク３ａの負の寄与によって、直流成分は、直流成分カーブ４が零に戻る代わりに負の値４ｂに到達する。
【００７８】
直流成分をなくすことは信号の望ましい特性である。そのために、直流成分は、低く保持され、チャネルビット群、コードワード又はコードワード群の終端で直流成分を零に戻す。
【００７９】
したがって、チャネルビット群の終端４ｃにおける零からの偏位を、異常な状態として検出することができ、説明したような直流成分の変調は、データ、マーカ又は透かしを表すことができる。
【００８０】
妨害の存在を検出するのに加えて、妨害の量を決定することもできる。図１の場合において、測定されるパラメータは、妨害の量である。この量は、測定の際にアナログ値となる。その理由は、ピット幅がアナログ値であるとともに妨害の量に直接関連するからである。妨害の量は、妨害の開始に対応するポイント４ａと妨害の終了に対応するポイント４ｂとの間のカーブの区分４ｅによって表される。区分４ｅのような区分の長さ、勾配及び絶対レベルは、アナログ値であり、妨害の量の基準として用いられる。ピット幅が通常のピット幅から偏位しているので、違法な複製プロセスは、妨害の正確な同一振幅を達成するために正確な同一幅を複製する必要がある。正確なピット幅をコピーするのは困難である。その理由は、データの検索中、位相同期ループによるスライシング及び再クロッキング後にピット幅についての情報が消失するからである。ディスクから直接物理的なコピーを行ったとしてもピット幅が変化し、したがって、非対称変調のパラメータの値が変化し、コピーがオリジナルと区別可能になる。
【００８１】
図２は、符号化によるチャネルビットの非対称性を示す。
非変調チャネルビット群２０を示す。この場合も、ハイレベルは、記録担体による光の反射、すなわち、ランドを表し、ローレベルは、小さい反射、すなわち、マークを表す。
【００８２】
通常の非変調チャネルビット群２０は、図示のために、ランド及びマークの一連の短い交代を具える。チャネルビット群の直流成分に対する平均的な寄与は零であり、それは、直流成分カーブ２１の対応する区分の一定値によって表される。長いランド２０ａによって反射の持続時間が長くなると、直流成分カーブ２１は、正の寄与を行うことによって第１レベル２１ａまで増大する。次いで、小さい反射を有する同様に長いマーク２０ｂは、負の寄与を行う、したがって、直流成分を減少することによって、直流成分カーブ２１が零に戻るようバランスをとる。
【００８３】
チャネルビット群に非対称性を導入するために符号化を用いると、既に説明した通常の状態とは異なるビットパターンが導入される。
【００８４】
変調チャネルビット群２２は、異なるビットパターンを具え、それは、対応する更に長いマーク２０ｂに比べて短い持続時間のマーク２２ｂ及び対応する更に短いランド２０ｃに比べて長い持続時間のランド２２ｃによって表される。短いマーク２２ｂは、長いランド２０ｂより小さい負の寄与を与える。その結果、直流成分カーブ２３が、通常の状態の第１レベル２１ａに等しい第１レベル２３ａに到達すると、長いマーク２２ｂの負の寄与によって、直流成分は、直流成分カーブ２３を零に戻す代わりに負の値２３ｂまで減少する。
【００８５】
次いで、長いランド２２ｃは、直流成分に正の寄与を与え、その結果、直流成分カーブ２３の正の終端値２３ｄが幾分大きくなる。直流成分をなくすことは信号の望ましい特性である。そのために、直流成分は、低く保持され、チャネルビット群、コードワード又はコードワード群の終端で直流成分を零に戻す。
【００８６】
したがって、チャネルビット群の終端２３ｄにおける零からの偏位を、異常な状態として検出することができ、説明したような直流成分の変調は、データ、マーカ又は透かしを表すことができる。
【００８７】
妨害の存在を検出するのに加えて、妨害の量を決定することもできる。図２の場合において、測定されるパラメータは、妨害の量である。この量は、測定の際にアナログ値となる。その理由は、種々の量の妨害を達成するために符号化を偏光できるからである。妨害の量は、妨害の開始に対応するポイント２３ａと妨害の終了に対応するポイント２３ｂとの間のカーブの区分２３ｅによって表される。区分２３ｅのような区分の長さ、勾配及び絶対レベルは、アナログ値であり、妨害の量の基準として用いられる。ピット長が予測される通常のピット幅から偏位しているので、違法な複製プロセスは、妨害の正確な同一振幅を達成するために正確な同一ピット長を複製する必要がある。正確なピット長をコピーするのは困難である。その理由は、データの検索中、位相同期ループによる再クロッキング後にピット長についての情報が消失するからである。ディスクから直接物理的なコピーを行ったとしてもピット長が変化し、したがって、パラメータの値、例えば、非対称偏重の直流成分カーブ２３の区分の勾配、長さ又は振幅の絶対値が変化し、コピーがオリジナルと区別可能になる。
【００８８】
図３は、遷移変調、すなわち、横位置変調(flank position modulation)によるチャネルビットの非対称性を示す。
チャネルビットの遷移を変調する際の状態は、図２で説明した状態と同様である。ランド及びマークの持続時間の変更は対称を妨害し、その結果、チャネルビットの終端において直流成分が零でなくなる。しかしながら、図３において、これは、図２と異なる符号化を適用することによって達成されず、それ自体の遷移のシフトの結果である。横へのシフトでは、アナログパラメータは、理想的な予測位置からのシフト量である。それは、信号に対する意図的なジッタの導入に相当する。データを検索できるようにするために、遷移のシフトが制限される。その理由は、クロックリカバリー後の次の検出によって、遷移のシフトが生じなかった状態と同一のデータを検索する必要があるからである。
【００８９】
通常の非変調チャネルビット群３０を示す。この場合も、ハイレベルは、記録担体による光の反射、すなわち、ランドを表し、ローレベルは、小さい反射、すなわち、マークを表す。
【００９０】
通常の非変調チャネルビット群３０は、図示のために、ランド及びマークの一連の短い交代を具える。チャネルビット群の直流成分に対する平均的な寄与は零であり、それは、直流成分カーブ３１の対応する区分の一定値によって表される。長いランド３０ａによって反射の持続時間が長くなると、直流成分カーブ３１は、正の寄与を行うことによって第１レベル３１ｂまで増大する。次いで、小さい反射を有する同様に長いマーク３０ｂは、負の寄与を行う、したがって、直流成分を減少することによって、直流成分カーブ３が零３１ｃに戻るようバランスをとる。
【００９１】
チャネルビット群に非対称性を導入するために遷移のシフトを用いる際に、ランド及びマークの幅を変更する。ランドとマークとの間の単一の遷移を移動しても全長は変化しないが、マーク対ランド比は変化する。
【００９２】
変調チャネルビット群３２は、そのようにシフトされた遷移を具える。拡張したランド３２ａは、直流成分に対して正の寄与を更に長い時間行い、その結果、通常の状態で到達するレベル３１ｂに比べてレベル３３ａが高くなる。減少した次のマーク３２ｂは、更に短い時間の負の寄与を行い、その結果、直流成分３３は、チャネルビット群の終端３３ｃでもはや零に戻らない。
【００９３】
したがって、チャネルビット群の終端２３ｄにおける零からの偏位を、異常な状態として検出することができ、説明したような直流成分の変調は、データ、マーカ又は透かしを表すことができる。
【００９４】
ディスク上の特定の位置において、チャネルビット群の非対称性が変調される。これによって、コピー不可能な透かしがディスク上に生じる。再生時に、この非対称性を直流成分から復元することができる。透かしの成分及び位置が正確でない場合、プレーヤはディスクの再生を拒否する。
【００９５】
仮想的な全てのディスクコピー方法がチャネルビットのタイミングを回復するので、ディスク複製後に透かしが消失する。タイミング回復のない完全なアナログコピーのみ透かしを保持するが、これによってコピー上のタイミングジッタが増大する。これによって、コピーを再生不可能にし、又は、ジッタのレベルの増大を注視することによって少なくともコピーとして識別可能にすることができる。
【００９６】
遷移のシフトによって生じた妨害の存在の単なる検出に加えて、妨害の量も決定される。図３の場合、測定されるパラメータは、シフトの量である。これを、実際の遷移位置と、クロックリカバリーを実行することによって決定されるような予測される理想的な遷移位置との青だの時間差を測定することによって達成することができる。統計的な分析を行うこともできる。この量は、測定の際にアナログ値となる。その理由は、横遷移の偏位がアナログ値であるとともに妨害の量に直接関連するからである。妨害の量は、区分３２ｄ及び３２ｅによって表される。これらの区分３２ｄ，３２ｅの長さは、遷移位置の予測される遷移位置からの偏位の持続時間をあらわす。偏位の持続時間はアナログ値であり、妨害の量の基準として用いることができる。ピット長がディスクの複製中に変更されるので、遷移位置は、オリジナルで見つけられるような予測される偏位位置から偏位する。違法な複製プロセスは、ディスクのコピー上にパラメータを複製するよう同一の偏位を達成するために遷移位置を複製する必要がある。正確な遷移位置の複製は困難である。その理由は、データの検索中、相同期ループによる再クロッキングに起因して遷移についての情報が位消失するからである。ディスクから直接物理的なコピーを行ったとしても、複製プロセスによって導入されたピット長の僅かな変化によって遷移位置が変化し、したがって、非対称変調のパラメータの値が変化し、コピーがオリジナルと区別可能になる。
【００９７】
図４は、データスライサの非対称性への影響を示す。
スライサの影響を、一例としての更に広いピットのために小さい反射を有するチャネルビット群を用いて説明する。
チャネルビット群４０は、更に長いランド４０ａ及び更に長いマーク４０ｂを具える。
【００９８】
他のランド及びマークの長さは、図示のために短くなり、必ずしも実際に存在する又はあり得るチャネルビット群を反映していない。これらは、本発明を説明する際にランド及びマークから離間して設定するために異なるサイズで与えられる。
【００９９】
このチャネルビット群は、入力部４４を通じて通常のデータスライサ４２に供給され、データスライサ４２は、コンパレータ４２ａと、適切な検出しきい値４７を確立するための装置４２ｂとを具える。
【０１００】
装置４２ｂは、適切なしきい地４７をコンパレータ４２ａに供給し、コンパレータ４２ａが、更に低いレベルのマーク４０ｂのような任意の振幅変動を除去しながらチャネルビット群４０の全てのタイミング情報を具える出力信号４１を発生できるようにする。更に長いランド４１ａ及び更に長いマーク４１ｂの持続時間は、チャネルビットの長いランド４０ａ及び長いマーク４０ｂに等しい。データスライサは、出力信号４１を発生し、出力信号４１は、出力部４５のチャネルビットを表すが、他のマークのレベルに等しい更に長いマーク４１ｂのレベルを有する。
【０１０１】
その結果、チャネルビット４０における変調によって格納されるような情報は、出力信号４１で消失する。
【０１０２】
チャネルビット４０をデータスライサ４２に供給するのに加えて、チャネルビット４０は、例えば積分器の形態で実現される直流成分装置４３にも供給される。直流成分装置４３は、決定した直流成分を出力部４６に供給する。直流成分装置４３は、測定されたパラメータ値を出力部４９にも供給する。そのように供給された直流成分は、予測される直流成分から偏位する。これを容易に決定することができる。その理由は、直流成分カーブ４８に示すようにデータスライサからの出力信号４１に直流がないからである。
【０１０３】
データスライサ前後の直流成分間の簡単な比較によって差が現われ、これによって、記録担体識別情報の検出及び変調を可能にする。
【０１０４】
パラメータの値をプロセッサのような再生装置の他のパーツに供給することによって、プロセッサによって実行されるプログラムは、直流成分装置４３によって供給されるパラメータの値と予測される予め決定された値とを比較することによってディスクがオリジナルディスクであるか否か決定することができる。これによって、再生装置は、著作権ステータスを確立することができる。
【０１０５】
図４は、直流成分を妨害するために反射変化を用いる場合を示す。遷移のシフトや符号化の使用のようなタイミング変動の場合、データスライサは、記録担体識別情報ではなく復号ステップを除去し、この場合、置換コードワードがオリジナルコードワードに置換され、又は、クロックリカバリー及び次のサンプリングによって、直流成分の妨害を除去する。この場合、デコーダ又はスライサの出力及びクロックリカバリーからの情報の両方を処理する回路は、パラメータの値をプロセッサに供給する。
【０１０６】
遷移のシフトの場合、チャネルビットからのクロックリカバリーに用いられる位相同期ループ（ＰＬＬ）は復調を行うことができる。その理由は、遷移のシフトがＰＬＬの位相コンパレータの誤り信号として示されるからである。誤り信号の振幅は、位相同期ループによって予測されるような理想的な遷移位置からの遷移のシフト量の基準となり、したがって、プロセッサに供給される値及びパラメータとして用いられることができる。
【０１０７】
ディスク上の特定の位置において、チャネルビット群の非対称性が変調される。これによって、コピー不可能な透かしがディスク上に発生する。再生の際に、この非対称性を回復することができる。透かしの成分及び位置が正確でない場合、プレーヤはディスクの再生を拒否する。
【０１０８】
仮想的な全てのコピー方法がチャネルビットのタイミングを回復するので、透かしは、ディスク複製後に消失する。タイミング回復のない完全なアナログコピーのみが透かしを保持するが、これによってコピーのタイミングジッタが増大する。これによって、位相同期ループは、予測される誤り信号より長い信号を生成する。誤り信号の振幅が、ディスクがオリジナルであるか否かを決定するのに用いられるパラメータであるので、ディスクは複製として拒否される。
【０１０９】
図５は、非対称性を有する記録担体を示す。
Ｂｌｕ  Ｄｉｓｃ−ＲＯＭ５０において、チャネルビット群５２の非対称性が透かしビット群によって変調される。非対称性を有するチャネルビット群５２の位置及び透かしビット群を表す値は、予め規定された位置、例えば、Ｂｌｕ  Ｄｉｓｃ−ＲＯＭの開始情報エリアであるＰＩＣバンド５１に格納される。
【０１１０】
一つ以上のチャネルビット群５２の位置を格納することによって、更に良好なセキュリティを確保しながらチャネルビット群５２の迅速なアクセス及び検索を可能にする。その理由は、暗号化を用いているために情報が利用できないときに時間を要する完全な記録担体の探索を必要とするからである。さらに、非対称変調を、ディスクの異なる区分５２，５３に対して変更することができる。第１区分５２の非対称変調のパラメータの値は、ディスクの主要部のパラメータの典型的な値と異なる。ディスクの第２区分５３の非対称変調のパラメータの値は、第１区分５２のパラメータの値と異なる。これによって、ディスクの一つのエリアにパラメータを違法にコピーするとともにコピーをディスクの一部又は他の全ての部分に適用するという決定を防止する。第１区分に対して第１のパラメータを選択するとともに第２区分に対して第２の異なるパラメータを選択することもできる。この場合、直流成分の妨害を検出した後にパラメータを検索することは、もはや不可能である。その理由は、オリジナルとして認識される複製ディスクを取得するために必須のパラメータが複数のパラメータのうちのいずれであるかを知らないからである。どのディスク上でどのパラメータが用いられるかについての情報を、暗号化形態でディスク上に格納することができ、又はネットワーク上でアクセスするためのいずれかの場所に格納することができる。妨害がディスク上に複数ある場合、ディスクの認証は、認証が実行される度に異なる区分又は区分の組合せを用いることができ、これによって、ディスクのどの区分を正確に複製すべきであり、どのパラメータを考察すべきであるかの直接的な決定を防止する。
【０１１１】
図６は、非対称検出器を具える再生装置を示す。
再生装置６０は、記録担体６１からデータを検索する。
図５で説明したように、最初に、記録担体識別情報がどこに配置されているかの情報が、記録担体上の特定のエリア、例えば、Ｂｌｕ−Ｄｉｓｃの場合にＰＩＣバンドと称される開始情報エリアから検索される。
【０１１２】
一旦、非対称変調を具えるチャネルビット群が検索されると、図６のブロック図が有効になる。ＰＩＣバンドからのアドレスの検索は、通常のプレーヤ機能の範囲内にあり、説明する必要がない。さらに、適用された場合におけるＰＩＣバンドの鍵及びアドレス指定情報の暗号解読が、プロセッサ装置６６内で行われる。
【０１１３】
記録担体識別情報を記録担体から検索するために、プレーヤ６０は、プロセッサ装置６６から供給されるアドレスからチャネルビットを検索する基本エンジン６２を具える。検索されたチャネルビットは、データスライサ６３及び直流成分決定装置６４に供給される。
【０１１４】
データスライサ６３は、データスライシングの副次的な効果として、更なる復号のためにチャネルビットをデータ経路に供給する前にチャネルビットから非対称を有効に除去する。さらに、他の直流成分決定装置６７は、データスライサ６３の後のチャネルビットの直流成分を決定する。例えば符号化によってチャネルビットに配置されたタイプの制約のためにチャネルビットの直流成分が予め知られている場合、他の直流成分決定装置６７を必要としない。その後、プロセッサは、直流成分決定装置６４の第１出力部６８において、検索されたチャネルビットの直流成分で検出されるようなチャネルビットの非対称性を用いて、予測された位置で予測されたデータが変調されたか否かに基づいて復調を行う。
【０１１５】
ディスクが複製ディスクであるかオリジナルディスクであるかを決定するために、直流成分決定装置６４は、第２出力部６８を通じて、非対称変調のパラメータの値をプロセッサ６６に供給する。その後、プロセッサ６６は、パラメータの測定値を、ディスクから又はネットワーク上で検索されるような予め決定された値と比較し、パラメータの値が予め決定された値と異なる場合にはディスクが複製ディスクであることを決定し、パラメータの値が予め決定された値に十分近い場合にはディスクが本物すなわちオリジナルディスクであることを決定することができる。
【０１１６】
ネットワークへのアクセスを、再生装置のインタフェース６０ａを通じて取得することができる。
次いで、プロセッサは、データ経路６５におけるチャネルビットの更なる復号を阻止し若しくは許容することができ、又はマテリアルが著作権で保護されるとともに他の装置によって記録されない外部装置を表すことができる。
一旦記録担体が識別されると、既知の著作権制御システムを用いることができる。
【０１１７】
データスライサ６３は、チャネルビットをデータ経路６５による処理に適用する前に記録担体識別情報を除去するので、ユーザは、記録担体識別情報に対するアクセスを有しない。データスライサ６３、直流成分決定装置６４，６７及びプロセッサ６６を単一の装置に統合することができ、ユーザによるアクセスを防止する。したがって、鍵の解読、チャネルビット群の位置及びチャネルビット群の実際のコンテンツは、許可されていないアクセスから十分にプロテクトされる。
【０１１８】
透かしは、特にデータスペクトルの低周波領域に出現し、検出レベルを観察し又は再生信号をローパス若しくはバンドパスフィルタ処理することによって復元することができる。保証された１７ＰＰ  直流抑制のために、本発明は特にＢＤに適している。透かし検出ＳＮＲを、低周波コードスペクトルを制限するために符号化によりチャネルビットの直流成分を最小化する方法を適用することによって更に増強することができる。最小化する方法は、非対称変調の振幅を減少するのにも有用である。
【０１１９】
透かしの位置及びコンテンツをディスク間で変更することによって、方法のセキュリティを向上する。
Ｂｌｕ  Ｄｉｓｃドライブの信号処理において、鍵及び透かしをＣＡ及びＰＰ信号から検出する。
【０１２０】
積分器の出力（検出しきい値）は、ＨＦ信号の平均値の非対称に従う。これは周知の原理であり、ＣＤプレーヤに既に適用されている。それは、チャネルコードの直流を抑制する特性により作動する。
【０１２１】
本実施の形態において、透かしの帯域幅がしきい地制御ループの帯域幅内にあると仮定する。したがって、透かしはジッタを増大しない。その理由は、非対称変調を保証するためにスライサがしきい値に適合するからである。
スライサの制御帯域幅より上では、非対称変調がしきい値検出器の出力部に存在し、ジッタが増大する。
【０１２２】
再生前に、プレーヤは、特定位置での透かしのコンテンツをチェックする。透かしのコンテンツ及び位置は、ディスク上の特定の位置、例えば、ＰＩＣバンド（Ｂｌｕ  Ｄｉｓｃ規格）に符号化される。
【０１２３】
図７は、透かしのような非対称を用いる著作権制御システムを示す。
レコーダ７０は、機能の一部としてデータをチャネルビットに符号化するデータ経路７５を具える。データ経路は、チャネルビットを変調器７３に供給する。
【０１２４】
図１，２及び３で説明したように、変調は複数の形態：
−  チャネルビットの遷移のシフト
−  小さい反射に対して記録すべき所定のマークに対する広いピットの割当て
−  直流成分を制御するために任意のデータストリームでは通常生じないコードワードへの置換による符号化後の置換コードワードの使用をとることができる。
したがって、変調器７３を、遷移変調器、コードワード置換器又はレーザビーム出力変調器として実現することができる。
【０１２５】
プロセッサ７６は、データ経路７５から情報を受信し、チャネルビットへの非対称変調の挿入を制御する。プロセッサは、非対称変調のパラメータも制御し、記録中に使用するためにパラメータの所望の値を基本エンジン７２に供給する。さらに、プロセッサ７６は、チャネルビットが格納される位置を制御し、基本エンジン７２にそのように行うよう指示する。
このように処理されたチャネルビットは、記録担体６１への記録を行うために基本エンジンに供給される。
【０１２６】
変調器７３がレーザビーム変調器である場合、基本エンジンは、チャネルビットを記録するために使用するレーザビーム出力を変更できるようにする必要がある。他の二つの変調器の例の場合、ランドからマーク及びマークからランドへの遷移を正確に制御することができる通常の基本エンジンで十分である。
【０１２７】
レコーダは、非対称変調のチャネルビットの位置を、ＰＩＣバンドのような記録担体の特定のエリアにも記録する。
レコーダの通常の形態は、この部分の記録に適しており、説明の必要がない。同一のことは鍵の解読にも当てはまる。その理由は、それがプロセッサ７６によって規則的に処理されるからである。
【０１２８】
本発明による記録装置は、業務用のレーザビームレコーダに限定されるものではなく、セキュリティのためにＣＤ−ＲＷ，ＤＶＤ−ＲＷ，ＢＤ−ＲＥのような読出し可能なディスクドライブに適用することもできる。
【図面の簡単な説明】
【０１２９】
【図１】ピット幅変調によるチャネルビットの非対称性を示す。
【図２】符号化によるチャネルビットの非対称性を示す。
【図３】遷移変調によるチャネルビットの非対称性を示す。
【図４】データスライサの非対称性への影響を示す。
【図５】非対称性を有する記録担体を示す。
【図６】非対称検出器を具える再生装置を示す。
【図７】透かしのような非対称を用いる著作権制御システムを示す。
【図１】
2007524183.tif 000003
【図２】
2007524183.tif 000004
【図３】
2007524183.tif 000005
【図４】
2007524183.tif 000006
【図５】
2007524183.tif 000007
【図６】
2007524183.tif 000008
【図７】
2007524183.tif 000009
【国際調査報告】
2007524183.tif 000010
2007524183.tif 000011
2007524183.tif 000012